(57)【要約】【課題】光コネクタが挿入されたまま光通信モジュールが上位装置から取り外されることを抑制することが可能な、光通信モジュールを提供する。【解決手段】本発明の光通信モジュールは、上位装置のフロントパネル９４に形成された開口に挿入され、上位装置と電気的に接続される光通信モジュール１であって、光コネクタ８３が挿入される挿入口を有するコネクタ取付部１３と、螺旋２１によってフロントパネル９４と締結される螺旋留め部１７と、光コネクタ８３が挿入口に挿入されていないときに第１の位置に位置し、光コネクタ８３が挿入口に挿入されているときに第２の位置に位置する可動部材１５と、を備え、可動部材１５は、第２の位置において、螺旋２１の頭部の周囲の少なくとも一部を覆う。【選択図】図１Ｂ
2010133989.tif 000002
【特許請求の範囲】
【請求項１】
上位装置のパネルに形成された開口に挿入され、前記上位装置と電気的に接続される光通信モジュールであって、
光コネクタが挿入される挿入口を有するコネクタ取付部と、
螺旋によって前記パネルと締結される螺旋留め部と、
前記光コネクタが前記挿入口に挿入されていないときに第１の位置に位置し、前記光コネクタが前記挿入口に挿入されているときに第２の位置に位置する可動部材と、
を備え、
前記可動部材は、前記第２の位置において、前記螺旋の頭部の周囲の少なくとも一部を覆う、
ことを特徴とする光通信モジュール。
【請求項２】
前記可動部材は、前記螺旋の頭部の頂面側の少なくとも一部を覆う、
請求項１に記載の光通信モジュール。
【請求項３】
前記可動部材は、前記第１の位置において、前記挿入口の正面側を覆う、
請求項１に記載の光通信モジュール。
【請求項４】
前記可動部材を前記第１の位置に向けて付勢する付勢部材を更に備える、
請求項１に記載の光通信モジュール。
【請求項５】
前記可動部材の前記第１の位置への移動は、前記挿入口に挿入された前記光コネクタによって規制される、
請求項４に記載の光通信モジュール。
【請求項６】
前記螺旋が所定の位置よりも締結が緩まる側に位置する場合に、前記可動部材の前記第２の位置への移動は、前記螺旋の頭部によって規制される、
請求項１に記載の光通信モジュール。
【請求項７】
前記可動部材を前記第１の位置から前記第２の位置へ移動させる操作が行われた状態で、前記光コネクタが前記挿入口に挿入される、
請求項１に記載の光通信モジュール。
【請求項８】
前記可動部材は、前記挿入口よりも正面側に設けられたレバーである、
請求項７に記載の光通信モジュール。
【請求項９】
前記可動部材は、前記光コネクタを前記挿入口に挿入する操作と連動して、前記第１の位置から前記第２の位置へ移動する、
請求項１に記載の光通信モジュール。
【請求項１０】
前記上位装置から供給される電力によって動作する光通信部と、
前記光コネクタが前記挿入口から抜き出されたことを表す信号を受け入れ、前記光通信部への電力供給を抑制する電力制御部と、
を更に備える、
請求項１に記載の光通信モジュール。
【請求項１１】
前記光コネクタが前記挿入口に挿入されているか否かを検知する検知部を更に備える、
請求項１０に記載の光通信モジュール。
【請求項１２】
上位装置のパネルに形成された開口に挿入され、前記上位装置と電気的に接続される光通信モジュールであって、
光コネクタが挿入される挿入口を有するコネクタ取付部と、
螺旋によって前記パネルと締結される螺旋留め部と、
前記螺旋を回転させる操作と連動する可動部材と、
を備え、
前記螺旋の締結を緩める操作と連動する前記可動部材の移動が、前記挿入口に挿入された前記光コネクタによって規制される、
ことを特徴とする光通信モジュール。
【請求項１３】
前記可動部材は、前記螺旋による締結が解除されているときに、前記挿入口の正面側を覆う、
請求項１２に記載の光通信モジュール。
【請求項１４】
前記可動部材は、前記光コネクタが挿通される挿通口を有し、
前記光コネクタは、前記可動部材が前記第２の位置に位置するときに、前記挿通口に挿通されるとともに、前記コネクタ取付部の挿入口に挿入される、
請求項１に記載の光通信モジュール。
【請求項１５】
前記可動部材は、前記第１の位置において、前記挿通口の縁部により前記コネクタ取付部の挿入口の正面側の少なくとも一部を覆う、
請求項１４に記載の光通信モジュール。
【請求項１６】
前記可動部材の前記第１の位置への移動は、前記コネクタ取付部の挿入口に挿入された前記光コネクタに前記挿通口の縁部が突き当たることによって規制される、
請求項１４に記載の光通信モジュール。
【発明の詳細な説明】
【技術分野】
【０００１】
本発明は、光通信モジュールに関し、特に光通信モジュールの取付構造に関する。
【背景技術】
【０００２】
光通信モジュールは、光コネクタが挿入される挿入口を有しており、この挿入口に、外部装置と繋がる光ケーブルの先端に設けられた光コネクタが挿入される。
【発明の開示】
【発明が解決しようとする課題】
【０００３】
ところで、こうした光通信モジュールは、上位装置に対して着脱可能に構成されるため、外部装置と光通信を行っている最中に、上位装置から取り外されてしまうことを抑制する必要がある。
【０００４】
また、光ケーブルは、一般に石英等の材料を含み、金属線と比較して曲げに弱いため、光コネクタが挿入されたまま光通信モジュールが上位装置から取り外されることは好ましくない。
【０００５】
本発明は、上記実情に鑑みて為されたものであり、光コネクタが挿入されたまま光通信モジュールが上位装置から取り外されることを抑制することが可能な、光通信モジュールを提供することを主な目的とする。
【課題を解決するための手段】
【０００６】
上記課題を解決するため、本発明の光通信モジュールは、上位装置のパネルに形成された開口に挿入され、前記上位装置と電気的に接続される光通信モジュールであって、光コネクタが挿入される挿入口を有するコネクタ取付部と、螺旋によって前記パネルと締結される螺旋留め部と、前記光コネクタが前記挿入口に挿入されていないときに第１の位置に位置し、前記光コネクタが前記挿入口に挿入されているときに第２の位置に位置する可動部材と、を備え、前記可動部材は、前記第２の位置において、前記螺旋の頭部の周囲の少なくとも一部を覆う、ことを特徴とする。
【０００７】
本発明の一態様では、前記可動部材は、前記螺旋の頭部の頂面側の少なくとも一部を覆う。
【０００８】
本発明の一態様では、前記可動部材は、前記第１の位置において、前記挿入口の正面側を覆う。
【０００９】
本発明の一態様では、前記可動部材を前記第１の位置に向けて付勢する付勢部材を更に備える。
【００１０】
この態様では、前記可動部材の前記第１の位置への移動は、前記挿入口に挿入された前記光コネクタによって規制されてもよい。
【００１１】
本発明の一態様では、前記螺旋が所定の位置よりも締結が緩まる側に位置する場合に、前記可動部材の前記第２の位置への移動は、前記螺旋の頭部によって規制される。
【００１２】
本発明の一態様では、前記可動部材を前記第１の位置から前記第２の位置へ移動させる操作が行われた状態で、前記光コネクタが前記挿入口に挿入される。
【００１３】
この態様では、前記可動部材は、前記挿入口よりも正面側に設けられたレバーであってもよい。
【００１４】
本発明の一態様では、前記可動部材は、前記光コネクタを前記挿入口に挿入する操作と連動して、前記第１の位置から前記第２の位置へ移動する。
【００１５】
本発明の一態様では、前記上位装置から供給される電力によって動作する光通信部と、前記光コネクタが前記挿入口から抜き出されたことを表す信号を受け入れ、前記光通信部への電力供給を抑制する電力制御部と、を更に備える。
【００１６】
この態様では、前記光コネクタが前記挿入口に挿入されているか否かを検知する検知部を更に備えてもよい。
【００１７】
本発明の他の態様では、上位装置のパネルに形成された開口に挿入され、前記上位装置と電気的に接続される光通信モジュールであって、光コネクタが挿入される挿入口を有するコネクタ取付部と、螺旋によって前記パネルと締結される螺旋留め部と、前記螺旋を回転させる操作と連動する可動部材と、を備え、前記螺旋の締結を緩める操作と連動する前記可動部材の移動が、前記挿入口に挿入された前記光コネクタによって規制される、ことを特徴とする。
【００１８】
この態様では、前記可動部材は、前記螺旋による締結が解除されているときに、前記挿入口の正面側を覆う。
【００１９】
本発明の一態様では、前記可動部材は、前記光コネクタが挿通される挿通口を有し、前記光コネクタは、前記可動部材が前記第２の位置に位置するときに、前記挿通口に挿通されるとともに、前記コネクタ取付部の挿入口に挿入される。
【００２０】
この態様では、前記可動部材は、前記第１の位置において、前記挿通口の縁部により前記コネクタ取付部の挿入口の正面側を覆ってもよい。
【００２１】
この態様では、前記可動部材の前記第１の位置への移動は、前記コネクタ取付部の挿入口に挿入された前記光コネクタに前記挿通口の縁部が突き当たることによって規制されてもよい。
【発明の効果】
【００２２】
本発明によれば、光コネクタが挿入口に挿入されているときに、可動部材が螺旋の頭部の周囲の少なくとも一部を覆うことから、光コネクタが挿入されたまま光通信モジュールが上位装置から取り外されることを抑制できる。
【発明を実施するための最良の形態】
【００２３】
本発明の光通信モジュールの実施形態について、図面を参照しながら説明する。
【００２４】
［第１実施形態］
図１Ａ及び図１Ｂは、第１実施形態に係る光通信モジュールの斜視図である。これらの図では、光通信モジュール１に加えて、上位装置の一部であるボード９２及びフロントパネル９４が示されている。
【００２５】
光通信モジュール１は、扁平直方状の本体部１１を有しており、この本体部１１の背面側からフロントパネル９４の開口に挿入され、不図示のコネクタを介してボード９２に取り付けられる。これにより、光通信モジュール１は、上位装置と機械的・電気的に接続される。
【００２６】
また、光通信モジュール１は、本体部１１の正面側（前方側）に、板状の正面部１０Ａを有している。この正面部１０Ａは、フロントパネル９４の開口よりも大きく、フロントパネル９４の正面側に配置される。
【００２７】
図２は、光通信モジュール１の正面図である。同図の左半分は、可動部材１５が下方側に位置する状態を表し、同図の右半分は、可動部材１５が上方側に位置する状態を表している。
【００２８】
正面部１０Ａの中央部分には、複数の挿入口１３ａを有するコネクタ取付部１３が設けられている。これら挿入口１３ａには、図１Ｂに示されるように、光コネクタ８３が挿入される。これにより、光通信モジュール１は、不図示の光ケーブルを介して外部装置と光通信を行う。
【００２９】
正面部１０Ａの側方部分には、本体部１１よりも側方に張り出した螺旋留め部１７が設けられている。これら螺旋留め部１７は、螺旋２１によってフロントパネル９４と締結される。これにより、光通信モジュール１は、上位装置に対して固定される。
【００３０】
螺旋２１は、螺旋留め部１７に正面側から取り付けられる。このため、螺旋２１の頭部２１ｈは、螺旋留め部１７の正面側に配置される。この頭部２１ｈは、円柱状に構成され、その平らな頂面２１ｔに溝部２１ｄが形成されている。
【００３１】
また、螺旋２１は、図３及び図４に示されるように、螺旋部２１ｓのねじ込まれ具合によって、頭部２１ｈと螺旋留め部１７との距離が変化する。すなわち、螺旋部２１ｓによる締結が進むにつれて、頭部２１ｈが螺旋留め部１７に近づき、最終的に接する。
【００３２】
次に、光通信モジュール１には、正面部１０Ａよりも前方側に張り出した可動部材（レバー）１５が設けられている。この可動部材１５は、略コの字状に形成され、それぞれの先端部が、正面部１０Ａに形成された溝部１６ｄに通され、本体部１１の側面に設けられた回転軸１５ｒで旋回可能に軸支されている。こうした構成により、可動部材１５は、略上下方向に移動可能とされ、ユーザ等による操作を受けることができる。
【００３３】
また、回転軸１５ｒの周囲には、コイル状のバネ（付勢部材）１５ｓが設けられており、これにより、可動部材１５は下方側に向けて付勢されている。
【００３４】
また、可動部材１５の折り曲げられた部分は、螺旋２１の頭部２１ｈよりも幅方向の内側に形成された溝部１６ｄに通される内側部１５ｃと、これよりも幅方向の外側に張り出した外側部１５ａと、これらを繋ぐ延側部１５ｂとを有している。
【００３５】
ここで、図１Ａ、図２の左半分、図３に示されるように、可動部材１５が下方側に位置する状態（すなわち、内側部１５ｃが溝部１６ｄの下端に当接した状態）を「第１の位置」とする。他方、図１Ｂ、図２の右半分、図４に示されるように、可動部材１５が上方側に位置する状態（すなわち、内側部１５ｃが溝部１６ｄの上端に当接した状態）を「第２の位置」とする。
【００３６】
光コネクタ８３がコネクタ取付部１３の挿入口１３ａに挿入されていないとき、可動部材１５は、バネ１５ｓにより下方側に向けて付勢されているため、下方側の第１の位置に位置する。このとき、可動部材１５は、図２の左半分に示されるように、挿入口１３ａの前方側を覆う一方、螺旋２１の頭部２１ｈの前方側は覆わない。このため、可動部材１５が第１の位置にある場合には、螺旋２１の頭部２１ｈを回転させる操作が可能である一方、挿入口１３ａに光コネクタ８３を挿入することはできない。
【００３７】
なお、図３に示されるように、螺旋２１による締結が十分でなく、頭部２１ｈが螺旋留め部１７から離れている場合、可動部材１５の上方側への移動は、可動部材１５の延側部１５ｂが螺旋２１の頭部２１ｈに当たることよって規制される。このため、螺旋２１による締結が十分でない場合は、挿入口１３ａに光コネクタ８３を挿入することができない。
【００３８】
他方、図４に示されるように、螺旋２１による締結が十分となって、頭部２１ｈが螺旋留め部１７に接したときには、ユーザ等による操作によって可動部材１５を上方側の第２の位置に位置させることができる。このとき、図２の右半分に示されるように、可動部材１５は、挿入口１３ａの前方側を覆わなくなるので、挿入口１３ａに対する光コネクタ８３の挿入が可能となる。
【００３９】
また、このように挿入口１３ａに光コネクタ８３が挿入された場合、図１Ｂに示されるように、可動部材１５の下方側への移動は、光コネクタ８３によって規制される。これにより、光コネクタ８３が挿入口１３ａに挿入されている間、可動部材１５は第２の位置で維持される。
【００４０】
そして、可動部材１５が第２の位置にある場合、図１Ｂ、図２の右半分及び図４に示されるように、可動部材１５の外側部１５ａ及び延側部１５ｂが、螺旋２１の頭部２１ｈの前方側を覆う。また、可動部材１５の内側部１５ｃは、螺旋２１の頭部２１ｈの側方側の一部を覆う。このため、可動部材１５が第２の位置にある場合には、螺旋２１の頭部２１ｈを回転させる操作が不可能である。すなわち、光コネクタ８３が挿入口１３ａに挿入されている間、螺旋２１の頭部２１ｈを回転させる操作が不可能となる。
【００４１】
このように、光コネクタ８３が挿入口１３ａに挿入されたままでは、螺旋２１の頭部２１ｈを操作することができない（換言すると、螺旋２１の頭部２１ｈを操作するためには、光コネクタ８３を挿入口１３ａから取り外さなければならない）ことから、光コネクタ８３が挿入口１３ａに挿入されたままの状態で、光通信モジュール１が上位装置から取り外されてしまうことを防止することができる。
【００４２】
図５は、光通信モジュール１のコネクタ取付部１３の概略を表す説明図である。コネクタ取付部１３には、挿入口１３ａに光コネクタ８３が挿入されているか否かを検知する検知部３５が設けられている。この検知部３５は、フォトインタラプタ式のセンサであり、発光部３５ａ及び受光部３５ｂを含む。
【００４３】
具体的には、コネクタ取付部１３には、発光部３５ａから発せられた光が受光部３５ｂに至るように穴部１３ｈが形成されている。少なくとも１つの光コネクタ８３が挿入口１３ａに挿入され、光レセプタクル４３に取り付けられている場合には、発光部３５ａから発せられた光は光コネクタ８３に遮られ、受光部３５ｂに至らない。他方、光コネクタ８３が挿入口１３ａに挿入されていない場合には、発光部３５ａから発せられた光は受光部３５ｂに至る。これにより、検知部３５は、挿入口１３ａに光コネクタ８３が挿入されているか否かを検知する。
【００４４】
図６は、光通信モジュール１のブロック図である。光通信モジュール１は、上記検知部３５に加え、光信号の送受信を実現する光通信部３０と、動作制御・電力制御回路３３（以下、制御回路３３という。）とを有している。
【００４５】
光通信部３０は、光信号を送信するための構成としてシリアライザー（Serializer）３０ａ、発光素子駆動回路３０ｂ及び発光素子３０ｃを有している。このシリアライザー３０ａは、上位装置から並列的に入力される電気信号を直列的に出力し、発光素子駆動回路３０ｂは、入力される電気信号に応じて発光素子３０ｃを駆動する。これにより、発光素子３０ｃは光信号を出力する。
【００４６】
また、光通信部３０は、光信号を受信するための構成としてデシリアライザー（Deserializer）３０ｄ、受信回路３０ｅ及び受光素子３０ｆを有している。この受光素子３０ｆは、入力される光信号を電気信号に変換し、出力する。受信回路３０ｅは、入力される電気信号を増幅・整形し、出力する。デシリアライザー３０ｄは、入力される電気信号を並列的に上位装置に出力する。
【００４７】
制御回路３３は、上位装置からの指令に応じて光通信部３０の動作制御および電力制御を行う。
【００４８】
検知部３５は、コネクタ取付部１３の挿入口１３ａから光コネクタ８３が取り外されたことを検知すると（図５を参照）、制御回路３３に検知信号を出力する。なお、これに限らず、例えば、受光素子３０ｆが受ける光の強度が所定以下になったときに、受信回路３０ｅが検知信号を出力するようにしてもよい。
【００４９】
制御回路３３は、この検知信号が入力されると、光通信部３０への電力供給を遮断する。このように光通信部３０への電力供給を遮断することで、光通信モジュール１が上位装置から取り外される前までに、光通信モジュール１の電力消費を十分に低減させることができる。このため、ホットプラグ操作を行っても上位装置の電源の揺れを抑制することができる。
【００５０】
また、コネクタ取付部１３の挿入口１３ａから光コネクタ８３を取り外すという操作は、その後に光通信モジュール１が取り外される蓋然性が高いことから、光通信部３０への電力供給の遮断の契機とするのに好適である。
【００５１】
特に、上述したように、コネクタ取付部１３の挿入口１３ａに光コネクタ８３が挿入されたままでは、可動部材１５の存在により、螺旋２１の頭部２１ｈを操作することができないことから、コネクタ取付部１３の挿入口１３ａから光コネクタ８３を取り外すという操作は、光通信モジュール１を上位装置から取り外す操作の前々段階ということもでき、光通信部３０への電力供給の遮断の契機とするのに好適である。
【００５２】
［第２実施形態］
以下、第２実施形態について説明する。なお、上記実施形態と重複する構成については、同番号を付すことで詳細な説明を省略する。
【００５３】
図７は、第２実施形態に係る光通信モジュールの正面図である。本実施形態において、正面部１０Ｂの側方部分に設けられる螺旋留め部１７は、コネクタ取付部１３よりもやや後方側に退避している。
【００５４】
また、正面部１０Ｂには、側方にスライド可能な可動部材（シャッター）５５が設けられている。これら可動部材５５には、側方に延びた溝部５５ｄが形成されており、この溝部５５ｄ内に、正面部１０Ｂに螺旋留めされた支持子５７が挿入されることで、可動部材５５が側方にスライド可能とされる。
【００５５】
また、可動部材５５には、後方側に折り曲げられた折曲部５５ｓが設けられており、この折曲部５５ｓは、正面部１０Ｂに形成された穴部５９内に挿入されている。この穴部５９内では、図８に示されるように、穴部５９の側壁と折曲部５５ｓとの間にバネ（付勢部材）５８が配置されており、これにより、可動部材５５は幅方向の内側に向けて付勢されている。
【００５６】
さらに、可動部材５５の幅方向の内側の先端部には、前方側に向けて幅方向の外側に広がるテーパー部５５ｔが形成されている。
【００５７】
ここで、図７の右半分に示されるように、可動部材５５が幅方向の内側に位置する状態を「第１の位置」とし、図７の左半分に示されるように、可動部材５５が幅方向の外側に位置する状態を「第２の位置」とする。
【００５８】
光コネクタ８３がコネクタ取付部１３の挿入口１３ａに挿入されていないとき、可動部材５５は、バネ５８により幅方向の内側に向けて付勢されているため、幅方向の内側の第１の位置に位置する。このとき、可動部材５５は、図７の右半分に示されるように、挿入口１３ａの一部を閉塞する一方、螺旋２１の頭部２１ｈの前方側は覆わない。このため、可動部材５５が第１の位置にある場合には、螺旋２１の頭部２１ｈを回転させる操作が可能である一方、挿入口１３ａに光コネクタ８３を挿入することはできない。
【００５９】
なお、図９Ａに示されるように、螺旋２１による締結が十分でなく、頭部２１ｈが螺旋留め部１７から一定以上離れている場合、可動部材５５の幅方向の外側への移動は、可動部材５５の外側の端部が螺旋２１の頭部２１ｈに当たることよって規制される。このため、螺旋２１による締結が十分でない場合は、挿入口１３ａに光コネクタ８３を挿入することができない。
【００６０】
他方、図９Ｂに示されるように、螺旋２１による締結が十分となって、頭部２１ｈが螺旋留め部１７に十分に近づいたときには、可動部材５５のスライドが可能になる。ここで、可動部材５５の内側の先端部にはテーパー部５５ｔが形成されているので、可動部材５５は、光コネクタ８３を挿入口１３ａに挿入する操作と連動してスライドし、第２の位置に至る。
【００６１】
また、このように挿入口１３ａに光コネクタ８３が挿入された場合、可動部材５５の幅方向の内側への移動は、挿入口１３ａに挿入された光コネクタ８３によって規制される。これにより、光コネクタ８３が挿入口１３ａに挿入されている間、可動部材５５は第２の位置で維持される。
【００６２】
そして、可動部材５５が第２の位置にある場合、図７の左半分及び図９Ｂに示されるように、可動部材５５の外側の端部が、螺旋２１の頭部２１ｈの前方側を覆う。このため、可動部材５５が第２の位置にある場合には、螺旋２１の頭部２１ｈを回転させる操作が不可能である。すなわち、光コネクタ８３が挿入口１３ａに挿入されている間、螺旋２１の頭部２１ｈを回転させる操作が不可能となる。
【００６３】
このように、光コネクタ８３が挿入口１３ａに挿入されたままでは、螺旋２１の頭部２１ｈを操作することができない（換言すると、螺旋２１の頭部２１ｈを操作するためには、光コネクタ８３を挿入口１３ａから取り外さなければならない）ことから、光コネクタ８３が挿入口１３ａに挿入されたままの状態で、光通信モジュール１が上位装置から取り外されてしまうことを防止することができる。
【００６４】
［第３実施形態］
以下、第３実施形態について説明する。なお、上記実施形態と重複する構成については、同番号を付すことで詳細な説明を省略する。
【００６５】
図１０は、第３実施形態に係る光通信モジュールの正面図である。本実施形態において、正面部１０Ｃには、螺旋２１を回転させる操作と連動する長板状の可動部材６５が設けられている。これら可動部材６５は、螺旋２１の頭部２１ｈに固定されており、螺旋２１の頭部２１ｈの回転と同期して旋回可能とされる。
【００６６】
ここで、螺旋２１は、可動部材６５が正面部１０Ｃの幅方向に沿った位置に位置するときに解除状態となり、可動部材６５が正面部１０Ｃの幅方向と交差する位置（本実施形態では、直交する位置）に位置するときに締結状態となる。
【００６７】
このため、螺旋２１が解除状態にあるときには、図１０の左半分に示されるように、可動部材６５の先端部が挿入口１３ａの前方側の一部を覆うので、挿入口１３ａに光コネクタ８３を挿入することはできない。
【００６８】
他方、螺旋２１が締結状態にあるときには、図１０の右半分に示されるように、可動部材６５の先端部が挿入口１３ａの前方側から離れるので、挿入口１３ａに光コネクタ８３を挿入することができる。
【００６９】
そして、挿入口１３ａに光コネクタ８３が挿入されたまま、螺旋２１を解除状態にしようとした場合、可動部材６５の移動は、挿入口１３ａに挿入された光コネクタ８３によって規制されるので、螺旋２１を解除状態にすることができない。
【００７０】
このように、光コネクタ８３が挿入口１３ａに挿入されたままでは、螺旋２１を解除状態にすることができない（換言すると、螺旋２１を解除状態するためには、光コネクタ８３を挿入口１３ａから取り外さなければならない）ことから、光コネクタ８３が挿入口１３ａに挿入されたままの状態で、光通信モジュール１が上位装置から取り外されてしまうことを防止することができる。
【００７１】
［第４実施形態］
以下、第４実施形態について説明する。なお、上記実施形態と重複する構成については、同番号を付すことで詳細な説明を省略する。
【００７２】
図１１Ａ及び図１１Ｂは、第４実施形態に係る光通信モジュールの斜視図である。図１２Ａ及び図１２Ｂは、同光通信モジュールの正面図である。図１３Ａ及び図１３Ｂは、同光通信モジュールの要部を拡大した側面図である。図１４Ａ及び図１４Ｂは、同光通信モジュールの要部を拡大した平面図である。
【００７３】
本実施形態において、正面部１０Ｄには、側方にスライド可能な可動部材（シャッター）１０５が設けられている。具体的には、正面部１０Ｄの上端および下端には、コネクタ取付部１３から一方の螺旋留め部１７まで至る溝部１０１ｄが形成されており、他方、可動部材１０５の上端および下端には、鉤状に折曲げられた折曲部１０７が設けられている。そして、溝部１０１ｄに折曲部１０７が挿入されることで、可動部材１０５は、正面部１０Ｄに対して側方に相対移動可能となる。
【００７４】
また、可動部材１０５のうち幅方向の中央部には、光コネクタ８３を挿通可能な挿通口１０３ａが形成されている。これら挿通口１０３ａは、コネクタ取付部１３の挿入口１３ａよりも大きく形成されている。
【００７５】
また、可動部材１０５のうち幅方向の外側の端部には、螺旋２１の頭部２１ｈに対応する形状の被覆部１０９が設けられている。この被覆部１０９は、前方に突出し、前方側が覆われるとともに、外側方に向けて開放された半円筒状に構成されている。
【００７６】
ここで、図１１Ａ，図１２Ａ，図１３Ａ，図１４Ａに示されるように、可動部材１０５が幅方向の中央側に位置する状態を「第１の位置」とし、図１１Ｂ，図１２Ｂ，図１３Ｂ，図１４Ｂに示されるように、可動部材１０５が幅方向の外側に位置する状態を「第２の位置」とする。
【００７７】
光コネクタ８３がコネクタ取付部１３の挿入口１３ａに挿入されていないとき、可動部材１０５は、幅方向の中央側の第１の位置に位置する。このとき、可動部材１０５は、図１１Ａ及び図１２Ａに示されるように、被覆部１０９で螺旋２１の頭部２１ｈの前方側を覆わない一方で、挿通口１０３ａの縁部１０３ｅでコネクタ取付部１３の挿入口１３ａの前方側の一部を覆う。このため、可動部材１０５が第１の位置にある場合には、螺旋２１の頭部２１ｈを回転させる操作が可能である一方、挿入口１３ａに光コネクタ８３を挿入することはできない。
【００７８】
なお、図１３Ａ及び図１４Ａに示されるように、螺旋２１による締結が十分でなく、頭部２１ｈが螺旋留め部１７から一定以上離れている場合、可動部材１０５の幅方向の外側への移動は、被覆部１０９の前端部が螺旋２１の頭部２１ｈに当たることよって規制される。このため、螺旋２１による締結が十分でない場合は、挿入口１３ａに光コネクタ８３を挿入することができない。
【００７９】
他方、図１３Ｂ及び図１４Ｂに示されるように、螺旋２１による締結が十分となって、頭部２１ｈが被覆部１０９の前端部よりも後方側に退避したときには、ユーザ等による操作によって可動部材１０５を第２の位置に位置させることができる。このとき、図１２Ｂに示されるように、挿通口１０３ａがコネクタ取付部１３の挿入口１３ａの前方側に位置し、縁部１０３ｅが挿入口１３ａの前方側を覆わなくなるので、挿入口１３ａに対する光コネクタ８３の挿入が可能となる。こうして、光コネクタ８３は、可動部材１０５が第２の位置に位置するときに、挿通口１０３ａに挿通されるとともに、コネクタ取付部１３の挿入口１３ａに挿入される。
【００８０】
また、このように挿入口１３ａに光コネクタ８３が挿入された場合、可動部材１０５の幅方向の中央側への移動は、挿入口１３ａに挿入された光コネクタ８３に挿通口１０３ａの縁部１０３ｅが突き当たることによって規制される。これにより、光コネクタ８３が挿入口１３ａに挿入されている間、可動部材１０５は第２の位置で維持される。
【００８１】
そして、可動部材１０５が第２の位置にある場合、図１２Ｂ及び図１４Ｂ等に示されるように、可動部材１０５の被覆部１０９が、螺旋２１の頭部２１ｈの前方側及び幅方向の内側を覆う。このため、可動部材１０５が第２の位置にある場合には、螺旋２１の頭部２１ｈを回転させる操作が不可能である。すなわち、光コネクタ８３が挿入口１３ａに挿入されている間、螺旋２１の頭部２１ｈを回転させる操作が不可能となる。
【００８２】
このように、光コネクタ８３が挿入口１３ａに挿入されたままでは、螺旋２１の頭部２１ｈを操作することができない（換言すると、螺旋２１の頭部２１ｈを操作するためには、光コネクタ８３を挿入口１３ａから取り外さなければならない）ことから、光コネクタ８３が挿入口１３ａに挿入されたままの状態で、光通信モジュール１が上位装置から取り外されてしまうことを防止することができる。
【００８３】
以上、本発明の実施形態について説明したが、本発明は上記実施形態に限定されるものではなく、種々の変形実施が当業者にとって可能であるのはもちろんである。
【図面の簡単な説明】
【００８４】
【図１Ａ】本発明の一実施形態に係る光通信モジュールの斜視図である。
【図１Ｂ】同光通信モジュールの斜視図である。
【図２】同光通信モジュールの正面図である。
【図３】同光通信モジュールの要部を拡大した側面図である。
【図４】同光通信モジュールの要部を拡大した側面図である。
【図５】同光通信モジュールのコネクタ取付部の概略を表す説明図である。
【図６】同光通信モジュールのブロック図である。
【図７】本発明の別の実施形態に係る光通信モジュールの正面図である。
【図８】同光通信モジュールの要部を拡大した断面図である。
【図９Ａ】同光通信モジュールの要部を拡大した平面図である。
【図９Ｂ】同光通信モジュールの要部を拡大した平面図である。
【図１０】本発明の別の実施形態に係る光通信モジュールの正面図である。
【図１１Ａ】本発明の別の実施形態に係る光通信モジュールの斜視図である。
【図１１Ｂ】同光通信モジュールの斜視図である。
【図１２Ａ】同光通信モジュールの正面図である。
【図１２Ｂ】同光通信モジュールの正面図である。
【図１３Ａ】同光通信モジュールの要部を拡大した側面図である。
【図１３Ｂ】同光通信モジュールの要部を拡大した側面図である。
【図１４Ａ】同光通信モジュールの要部を拡大した平面図である。
【図１４Ｂ】同光通信モジュールの要部を拡大した平面図である。
【符号の説明】
【００８５】
１  光通信モジュール、１０Ａ〜１０Ｄ  正面部、１１  本体部、１３  コネクタ取付部、１３ａ  挿入口、１３ｈ  穴部、１５  可動部材（レバー）、１５ａ  外側部、１５ｂ  延側部、１５ｃ  内側部、１５ｒ  回転軸、１５ｓ  バネ（付勢部材）、１６ｄ  溝部、１７  螺旋留め部、２１  螺旋、２１ｄ  溝部、２１ｈ  頭部、２１ｓ  螺旋部、２１ｔ  頂面、３０  光通信部、３０ａ  シリアライザー（Serializer）、３０ｂ  発光素子駆動回路、３０ｃ  発光素子、３０ｄ  デシリアライザー（Deserializer）、３０ｅ  受信回路、３０ｆ  受光素子、３３  動作制御及び電力制御回路、３５  検知部、３５ａ  発光部、３５ｂ  受光部、４３  光レセプタクル、５５  可動部材（シャッター）、５５ｄ  溝部、５５ｓ  折曲部、５５ｔ  テーパー部、５７  支持子、５８  バネ（付勢部材）、５９  穴部、６５  可動部材、８３  光コネクタ、９２  ボード、９４  フロントパネル、１０１ｄ  溝部、１０３ａ  挿通口、１０３ｅ  縁部、１０５  可動部材（シャッター）、１０７  折曲部、１０９  被覆部。
【図１Ａ】
2010133989.tif 000003
【図１Ｂ】
2010133989.tif 000004
【図２】
2010133989.tif 000005
【図３】
2010133989.tif 000006
【図４】
2010133989.tif 000007
【図５】
2010133989.tif 000008
【図６】
2010133989.tif 000009
【図７】
2010133989.tif 000010
【図８】
2010133989.tif 000011
【図９Ａ】
2010133989.tif 000012
【図９Ｂ】
2010133989.tif 000013
【図１０】
2010133989.tif 000014
【図１１Ａ】
2010133989.tif 000015
【図１１Ｂ】
2010133989.tif 000016
【図１２Ａ】
2010133989.tif 000017
【図１２Ｂ】
2010133989.tif 000018
【図１３Ａ】
2010133989.tif 000019
【図１３Ｂ】
2010133989.tif 000020
【図１４Ａ】
2010133989.tif 000021
【図１４Ｂ】
2010133989.tif 000022